(57)【要約】      （修正有）【課題】比較的容易に、比較的短時間で、かつ比較的正確に懸濁物質含量を測定できる懸濁物質含量測定装置及び懸濁物質含量測定方法を提供する。【解決手段】水底の底質Ｘの採取及び採取した底質中の懸濁物質含量の測定をする懸濁物質含量測定装置１であって、少なくとも一部が透明な筒状の採水チャンバー２と、採水チャンバーの上端に接続される空気流路３と、採水チャンバーの下端に接続される自動弁４と、自動弁を介して採水チャンバーの下側に接続され、下端に吸込口５ａを有する吸込部材５と、採水チャンバーの透明部分を通して採水チャンバー内の水の濁度を検出する濁度計６とを備える。吸込部材が下端にフランジ部５ｂを有する。採水チャンバーの中に配設され、採水チャンバーが満水になると空気流路を封止する浮子７をさらに備える。【選択図】図１
2017015490.tif 000002
【特許請求の範囲】
【請求項１】
水底の底質の採取及び採取した底質中の懸濁物質含量の測定をする懸濁物質含量測定装置であって、
少なくとも一部が透明な筒状の採水チャンバーと、
上記採水チャンバーの上端に接続される空気流路と、
上記採水チャンバーの下端に接続される自動弁と、
上記自動弁を介して採水チャンバーの下側に接続され、下端に吸込口を有する吸込部材と、
上記採水チャンバーの透明部分を通して採水チャンバー内の水の濁度を検出する濁度計と
を備えることを特徴とする懸濁物質含量測定装置。
【請求項２】
上記吸込部材が下端にフランジ部を有する請求項１に記載の懸濁物質含量測定装置。
【請求項３】
上記採水チャンバーの中に配設され、採水チャンバーが満水になると上記空気流路を封止する浮子をさらに備える請求項１又は請求項２に記載の懸濁物質含量測定装置。
【請求項４】
上記採水チャンバーを昇降可能に支持する吊り下げ機構をさらに備える請求項１、請求項２又は請求項３に記載の懸濁物質含量測定装置。
【請求項５】
上記吊り下げ機構が、上記採水チャンバーの吊り下げ位置を上方から見て円を描くように移動可能に構成される請求項４に記載の懸濁物質含量測定装置。
【請求項６】
上記吸込部材が、上記吸込口から吸い込んだ水の中の粗大粒子を分離するスクリーンを内部に有する請求項１から請求項５のいずれか１項に記載の懸濁物質含量測定装置。
【請求項７】
請求項１から請求項５のいずれか１項に記載の懸濁物質含量測定装置を用い、
上記自動弁が閉鎖され、かつ上記採水チャンバーに空気が充填された状態で上記吸込部材を水底に着床させる工程と、
上記着床工程後に、自動弁の開放により吸込部材を介して採水チャンバー内に水と共に底質を吸い込む工程と、
上記吸い込み工程から一定の時間後に、濁度計により採水チャンバー内の水の濁度を検出する工程と
を備える底質中の懸濁物質含量測定方法。
【発明の詳細な説明】
【技術分野】
【０００１】
本発明は、懸濁物質含量測定装置及び懸濁物質含量測定方法に関する。
【背景技術】
【０００２】
沖縄県等において、工事現場等から流出した赤土等（土壌ばかりでなく泥岩も含む）が海洋の環境を悪化させることが問題視されている。この現象は赤土汚染と呼ばれ、サンゴの減少又は死滅など海域生態系ばかりでなく水産業や観光産業にも悪い影響を及ぼしている。沖縄県衛生環境研究所は、１９８５年に海域の底質を用いて簡便な器材や手法で赤土等堆積の度合いを測定する「底質中の赤土（微粒子）濃度簡易測定法」を確立している。現在、「底質中の赤土濃度簡易測定法」は、「懸濁物質含量簡易測定法」又は「ＳＰＳＳ（Ｓｕｓｐｅｎｄｅｄ  Ｐａｒｔｉｃｌｅｓ  ｉｎ  Ｓｅａ  Ｓｅｄｉｍｅｎｔ）簡易測定法」と呼ばれ、赤土流出によるサンゴへの影響を定量的に測定する手段として、行政の調査などで活用されている。
【０００３】
上記懸濁物質含量簡易測定法は、底質を採取（採泥）する工程と、採取した底質のふるいがけをする工程と、底質試料を計量する工程と、底質試料を水に分散させて濁水を調整する工程と、濁水を振り混ぜる工程と、振り混ぜた濁水の透視度が小さすぎると思われる場合に濁水を希釈する工程と、砂等を沈殿させるために濁水を静置する工程と、砂等を沈殿させた検水の透視度を測定する工程と、透視度から懸濁物質含量を算出する工程とを有する。
【０００４】
上記懸濁物質含量簡易測定法は、殆どの工程が手作業であり、コストが高く、測定誤差も大きいという不都合がある。また、採泥した底質を試験室に持ち帰って測定するため、測定結果が得られるまでに時間がかかり、異常な測定値が認められる場合に確認のために再度同じ場所で採泥することが容易ではない。
【先行技術文献】
【非特許文献】
【０００５】
【非特許文献１】大見謝辰男「ＳＰＳＳ簡易測定法とその解説」、沖縄県衛生環境研究所報、２００３年、第３７巻、ｐ．９９−１０４
【発明の概要】
【発明が解決しようとする課題】
【０００６】
上記不都合に鑑みて、本発明は、比較的容易に、比較的短時間で、かつ比較的正確に懸濁物質含量を測定できる懸濁物質含量測定装置及び懸濁物質含量測定方法を提供することを課題とする。
【課題を解決するための手段】
【０００７】
上記課題を解決するためになされた発明は、水底の底質の採取及び採取した底質中の懸濁物質含量の測定をする懸濁物質含量測定装置であって、少なくとも一部が透明な筒状の採水チャンバーと、上記採水チャンバーの上端に接続される空気流路と、上記採水チャンバーの下端に接続される自動弁と、上記自動弁を介して採水チャンバーの下側に接続され、下端に吸込口を有する吸込部材と、上記採水チャンバーの透明部分を通して採水チャンバー内の水の濁度を検出する濁度計とを備えることを特徴とする。
【０００８】
当該懸濁物質含量測定装置は、上記採水チャンバーに空気が充填され、自動弁を閉鎖した状態で水底に着床させ、着床工程後に自動弁を開放して、周囲の水圧によって上記空気流路から採水チャンバー中の空気を排出しつつ吸込部材の吸込口から採水チャンバー内に水と共に底質を吸い込むことができる。採水チャンバーに底質と水とを吸い込んだ後、一定時間静置してから上記濁度計により採水チャンバー内の水の濁度を検出することで、底質中の懸濁物質含量を測定することができる。このように、当該懸濁物質含量測定装置は、水底に着床し、その場で比較的短時間のうちに懸濁物質含量を測定することができる。また、当該懸濁物質含量測定装置を使用すれば、手で試料を取り扱うことなく、底質の採取、底質と水との撹拌を含む試料の調整、及び測定を行うことができるので測定が比較的容易であると共に、人為的な誤差が生じ難いので測定値が比較的正確である。
【０００９】
上記吸込部材が下端にフランジ部を有するとよい。このように、上記吸込部材が下端にフランジ部を有することによって、このフランジ部の底面が水底に着床し、吸込部材が底質内にめり込んで、底質の吸込みを阻害することを防止できる。
【００１０】
上記採水チャンバーの中に配設され、採水チャンバーが満水になると上記空気流路を封止する浮子をさらに備えるとよい。このように、上記採水チャンバーの中に配設され、採水チャンバーが満水になると上記空気流路を封止する浮子をさらに備えることによって、底質及び水の吸込み量が一定となるので測定精度を向上することができる。
【００１１】
上記採水チャンバーを昇降可能に支持する吊り下げ機構をさらに備えるとよい。このように、上記採水チャンバーを昇降可能に支持する吊り下げ機構をさらに備えることによって、採水チャンバーを容易に移動することができ、複数箇所の底質の懸濁物質含量を比較的容易かつ迅速に測定することができる。
【００１２】
上記吊り下げ機構が、上記採水チャンバーの吊り下げ位置を上方から見て円を描くように移動可能に構成されるよい。このように、上記吊り下げ機構が、上記採水チャンバーの吊り下げ位置を上方から見て円を描くように移動可能に構成されることによって、環境分析においては同一地点でありかつ微視的には水底の異なる測定位置の底質を採取することができる。これにより、以前の測定で底質を採取した影響を概ね排除することができ、懸濁物質含量の定点観測を比較的容易かつ正確に行うことができる。
【００１３】
上記吸込部材が、上吸込口から吸い込んだ水の中の粗大粒子を分離するスクリーンを内部に有するとよい。このように、上記吸込部材が、上記吸込口から吸い込んだ水の中の粗大粒子を分離するスクリーンを内部に有することによって、粗大粒子の噛み込みによる自動弁の動作不良を防止することができる。
【００１４】
また、上記課題を解決するためになされた別の発明は、当該懸濁物質含量測定装置を用い、上記自動弁が閉鎖され、かつ上記採水チャンバーに空気が充填された状態で上記吸込部材を水底に着床させる工程と、上記着床工程後に、自動弁の開放により吸込部材を介して採水チャンバー内に水と共に底質を吸い込む工程と、上記吸い込み工程から一定の時間後に、濁度計により採水チャンバー内の水の濁度を検出する工程とを備える底質中の懸濁物質含量測定方法である。
【００１５】
当該懸濁物質含量測定方法は、水圧を利用して底質を採取することができ、そのまま水中で懸濁物質含量を比較的短時間で測定することができる。また、当該懸濁物質含量測定方法は、人が直接底質に触れる必要がないので、測定が比較的容易であり、かつ測定値が比較的正確である。
【発明の効果】
【００１６】
上述のように、本発明の懸濁物質含量測定装置及び懸濁物質含量測定方法は、比較的容易に、比較的短時間で、かつ比較的正確に底質中の懸濁物質含量を測定できる。
【図面の簡単な説明】
【００１７】
【図１】本発明の一実施形態の懸濁物質含量測定装置の構成を示す模式図である。
【図２】図１の懸濁物質含量測定装置を用いた定点観測を説明する模式的平面図である。
【図３】本発明の図１とは異なる懸濁物質含量測定装置の構成を示す模式図である。
【発明を実施するための形態】
【００１８】
以下、適宜図面を参照しつつ、本発明の実施の形態を詳説する。
【００１９】
［第一実施形態］
〔懸濁物質含量測定装置〕
図１の懸濁物質含量測定装置１は、水底の底質Ｘの採取及び採取した底質Ｘ中の懸濁物質含量の測定をする装置である。
【００２０】
当該懸濁物質含量測定装置１は、少なくとも一部が透明な筒状の採水チャンバー２と、上記採水チャンバー２の上端に接続される空気流路３と、上記採水チャンバー２の下端に接続される自動弁４と、上記自動弁４を介して採水チャンバー２の下側に接続され、下端に吸込口５ａを有する吸込部材５と、上記採水チャンバー２の透明部分を通して採水チャンバー２内の水の濁度を検出する濁度計６とを備える。
【００２１】
また、当該懸濁物質含量測定装置１は、上記採水チャンバー２の中に配設され、採水チャンバー２が満水になると上記空気流路３を封止する浮子７をさらに備える。また、当該懸濁物質含量測定装置１は、上記採水チャンバー２を昇降可能に支持する吊り下げ機構８をさらに備える。また、当該懸濁物質含量測定装置１は、上記採水チャンバー２の下端近傍側部に接続される排水ポンプ９をさらに備える。
【００２２】
＜採水チャンバー＞
採水チャンバー２は、筒状、好ましくは円筒状に形成され、内周面に凹凸のないものが好ましい。また、採水チャンバー２は、濁度計６によって内部を透視することができるよう少なくとも濁度計６が配設される部分が透明に形成され、全体が透明であってもよい。
【００２３】
採水チャンバー２の断面形状としては、例えば円形、方形等任意の形状とすることができるが、中でも内部の水の撹拌性に優れる円形が好ましい。
【００２４】
採水チャンバー２は、パイプを用いて形成することができる。採水チャンバー２を形成するパイプとしては、例えば透明な塩化ビニル製パイプを用いることができる。また、パイプを用いて採水チャンバー２を形成する場合、パイプの上端は、市販の管用フランジ又は管用キャップを用いて封止することができる。また、採水チャンバー２の下端への自動弁４の接続も市販の管用継手を用いて行うことができる。
【００２５】
採水チャンバー２の内容積の下限としては、０．２Ｌが好ましく、０．３Ｌがより好ましい。一方、採水チャンバー２の内容積の上限としては１．５Ｌが好ましく、１．０Ｌがより好ましい。採水チャンバー２の内容積が上記下限に満たない場合、採水できる底質Ｘ及び水の量が少なくなることにより測定誤差が大きくなるおそれがある。逆に、採水チャンバー２の内容積が上記上限を超える場合、採水チャンバー２内において水を十分に撹拌することができず、底質Ｘ中の懸濁物質を十分に拡散させることができないことにより測定誤差が大きくなるおそれがある。典型的な採水チャンバー２の内容積としては、０．５Ｌとされる。このように、採水チャンバー２の内容積を「懸濁物質含量簡易測定法」に規定される底質懸濁液の調整量と等しくすることにより、従来の測定値との連続性をより大きくすることができる。
【００２６】
採水チャンバー２の平均内径の下限としては、３ｃｍが好ましく、４ｃｍがより好ましい。一方、採水チャンバー２の平均内径の下限としては、１０ｃｍが好ましく、８ｃｍがより好ましい。採水チャンバー２の平均内径が上記下限に満たない場合、採水チャンバー２内において水を上下方向に十分に撹拌することができず、底質Ｘ中の懸濁物質を十分に拡散させることができないことにより測定誤差が大きくなるおそれや、濁度計の測定精度が不十分となるおそれがある。逆に、採水チャンバー２の平均内径が上記上限を超える場合、採水チャンバー２内において水を水平方向に十分に撹拌することができず、測定誤差が大きくなるおそれがある。なお、「平均内径」とは、内周面の軸に垂直な断面形状の円相当径の平均を意味する。
【００２７】
＜空気流路＞
空気流路３は、採水チャンバー２内の空気を排出することにより採水チャンバー２内に底質Ｘを含む水を吸い込むことを可能にし、かつ採水チャンバー２内に外部から空気を供給することにより採水チャンバー２内の水を排出することを可能にする。
【００２８】
空気流路３は、好ましくは可撓性を有するチューブにより形成される。この空気流路３を形成するチューブとしては、水圧によって狭窄しない強度を有するものが好ましい。このようなチューブとしては、例えば空圧機器用エアチューブを用いることができる。
【００２９】
空気流路３の平均内径の下限としては、１ｍｍが好ましく、２ｍｍがより好ましい。一方、空気流路３の平均内径の上限としては、１５ｍｍが好ましく、１２ｍｍがより好ましい。空気流路３の平均内径が上記下限に満たない場合、採水チャンバー２に吸い込む水の流速が小さく、採水チャンバー２内において水を十分に撹拌することができないことにより測定誤差が大きくなるおそれがある。逆に、空気流路３の平均内径が上記上限を超える場合、空気流路３の可撓性が不十分となったり、空気流路３の体積が不必要に増大して、当該懸濁物質含量測定装置１の取り扱いが容易でなくなるおそれがある。
【００３０】
また、空気流路３には、採水時に空気の流量を調整し、ひいては採水チャンバー２に吸引する水の流束を調整するための流量調整弁１０が配設されることが好ましい。このような流量調整弁１０としては、例えばニードル弁を用いることができる。
【００３１】
この流量調整弁１０によって調整される採水チャンバー２における採水時の水の平均流量の下限としては、０．５Ｌ／ｍｉｎが好ましく、１．０Ｌ／ｍｉｎがより好ましい。一方、採水チャンバー２における採水時の水の平均流量の上限としては、２．０Ｌ／ｍｉｎが好ましく、１．５Ｌ／ｍｉｎがより好ましい。採水チャンバー２における採水時の水の平均流速が上記下限に満たない場合、採水チャンバー２内において水を十分に撹拌することができないことにより測定誤差が大きくなるおそれがある。逆に、採水チャンバー２における採水時の水の平均流速が上記上限を超える場合、底質Ｘの吸込み量がばらつくことにより測定誤差が大きくなるおそれがある。また、採水チャンバー２における採水時の水の平均流量により定められる採水チャンバー２への採水時間としては、１５秒以上１分以下が好ましい。
【００３２】
＜自動弁＞
自動弁４は、当該懸濁物質含量測定装置１を着床させるまでの間、採水チャンバー２の下端を閉鎖し、採水チャンバー２内が空気で満たされた空の状態を維持することを担保する。
【００３３】
この自動弁４としては、採水チャンバー２の下端に水を吸い込むのに十分な断面積を有する流路を形成できるものであればよいが、採水チャンバー２の内径と略等しい内径の流路を形成するものが好ましく、例えばフルボアタイプのボール弁等が好適に用いられる。
【００３４】
また、自動弁４は、水上から遠隔操作可能なものであればよく、例えば電動弁、空動弁等を用いることができる。
【００３５】
＜吸込部材＞
吸込部材５は、下端に形成される吸込口５ａが水底に着床し、吸込口５ａから水と共に底質Ｘを吸い込む。
【００３６】
吸込部材５は、下端に水平方向に延出するフランジ部５ｂを有することが好ましい。このフランジ部５ｂは、下面が水底に着床することにより、吸込部材５が底質Ｘの中に埋没することを防止して、吸込口５ａを底質Ｘの表面に配置する。
【００３７】
つまり、フランジ部５ｂは、吸込口５ａの底質Ｘの奥への埋没により水の吸込みが阻害されることを防止する。また、フランジ部５ｂによって吸込口５ａを比較的正確に底質Ｘの表面に配置することによって、底質Ｘの採水チャンバー２への吸込み量を安定させることができ、測定精度を向上できる。
【００３８】
フランジ部５ｂは、吸込部材５の外側に延出することが好ましいが、中央に十分な開口を有するものであれば内外両側に延出してもよい。
【００３９】
このフランジ部５ｂの平均延出長さ（平均外径から平均内径を引いた値の１／２）としては、当該懸濁物質含量測定装置１の重量、吸込口５ａの口径等に応じて適宜選択されるが、例えば５０ｍｍ以上２００ｍｍ以下とすることができる。
【００４０】
また、吸込部材５は、吸込口５ａから吸い込んだ底質Ｘを含む水の中の粗大粒子（例えば小石、貝殻等）を分離するスクリーン５ｃを内部に有することが好ましい。
【００４１】
吸込部材５がスクリーン５ｃを有することにより、粗大粒子の噛み込みに起因する自動弁４の損傷及び動作不良を防止することができる。
【００４２】
このスクリーン５ｃとしては、例えば金網、パンチングメタル等を用いることができる。スクリーン５ｃの目開きとしては、例えば４ｍｍとすることができる。このように、スクリーン５ｃの目開きを「懸濁物質含量簡易測定法」に規定される前処理において使用するふるいの目開きと等しい４ｍｍとすることにより、従来の測定値との連続性をより大きくすることができる。
【００４３】
吸込部材５は、水を吸い込みやすいよう下方に向かって拡径することが好ましい。吸込部材５の吸込口５ａの内径としては、採水チャンバー２の内径の１．５倍以上３倍以下が好ましい。
【００４４】
吸込部材５は、さらに、フランジ部５ｂから下向きに突出する採泥スリーブ５ｄを有してもよい。採泥スリーブ５ｄは、底質Ｘの中に挿入され、吸込部材５からの底質Ｘの吸込み量を安定化する。この採泥スリーブ５ｄは、採泥スリーブ５ｄ内に取り込んだ底質Ｘを残さず採水チャンバー２に吸い込ませることを可能にするため、フランジ部５ｂの内周縁から延出するよう設けることが好ましい。また、採泥スリーブ５ｄの突出長さとしては、例えば５ｍｍ以上５０ｍｍ以下とすることができる。
【００４５】
＜濁度計＞
濁度計６としては、採水チャンバー２内の水中の懸濁物質の量を濁度を測定できるものであればよく、例えば表面散乱形濁度計、透過散乱形濁度計、高感度透過散乱形濁度計、レーダー形濁度計、色度計等を用いることができる。
【００４６】
＜浮子＞
浮子７は、空気流路３の採水チャンバー２への開口部又は採水チャンバー２の天井部に密接することにより、採水チャンバー２内の水が空気流路３に流出しないように封止する弁体となる。
【００４７】
＜吊り下げ機構＞
吊り下げ機構８は、採水チャンバー２の上端に接続されるワイヤー又はロープ８ａと、このワイヤー又はロープ８ａの巻き取り及び送り出しが可能なウインチ８ｂとを有するものとすることができる。さらに、この吊り下げ機構８は、ワイヤー又はロープ８ａを案内するプーリー８ｃを支持し、船舶等に配設される搖動可能なアーム８ｄを有するクレーン機構とすることができる。なお、上記ワイヤー又はロープ８ａとして、空気流路３を画定する管状のものを使用してもよい。
【００４８】
このような吊り下げ機構８を有することによって、当該懸濁物質含量測定装置１は、吸込部材５の水底への着床及び水底からの離間が容易であり、懸濁物質含量測定の容易化及び迅速化が促進される。
【００４９】
また、吊り下げ機構８は、図２に示すように採水チャンバー２の吊り下げ位置を上方から見て円を描くように移動可能に構成されることが好ましい。具体例としては、吊り下げ機構８は、採水チャンバー２の上方から見た吊り下げ位置（平面位置）を定められるよう旋回可能に支持されるアーム８ｄを有するものとされる。つまり、アーム８ｄは、採水チャンバー２の吊り下げ位置を定めるプーリー８ｃの支持位置を、平面視で円を描くよう移動させられるよう設けられるとよい。
【００５０】
この場合、アーム８ｄの有効長さ（旋回中心からプーリー８ｃによるロープ８ａの吊り下げ位置までの水平距離）としては、例えば０．２５ｍ以上、３ｍ以下とすることができる。アーム８ｄの長さ、つまり採水チャンバー２の吊り下げ位置の移動の軌跡が描く円の半径を上記範囲内とすることによって、環境分析の観点からは実質的に同一測定位置でありながら、微視的には少しずつ異なる位置の底質を採取して、以前の測定時に底質を採取した影響を概ね排除して測定誤差を抑制できる。
【００５１】
＜排水ポンプ＞
排水ポンプ９は、採水チャンバー２内の水を強制的に排出するために設けられる。この排水ポンプ９としては、動作していない状態で水が逆流して排水チャンバー２内に流入しないような構造、例えば弁機構等を有するものとされる。
【００５２】
〔懸濁物質含量測定方法〕
本発明の第一実施形態に係る懸濁物質含量測定方法は、水底の底質Ｘの採取及び採取した底質Ｘ中の懸濁物質含量の測定をする方法であり、当該懸濁物質含量測定装置１を用いて行うことができる。
【００５３】
当該懸濁物質含量測定方法は、自動弁４が閉鎖され、かつ採水チャンバー２に空気が充填された状態で吸込部材５を水底に着床させる工程と、上記着床工程後に、自動弁４の開放により吸込部材５を介して採水チャンバー２内に水と共に底質Ｘを吸い込む工程と、上記吸い込み工程から一定の時間後に、濁度計６により採水チャンバー２内の水の濁度を検出する工程と、検出した濁度から懸濁物質含量を算出する工程とを備える。
【００５４】
また、当該懸濁物質含量測定方法は、上記濁度検出工程後に、吸込部材５を水底から離間させる工程と、この離間工程後に排水ポンプ９により採水チャンバー２内の水を排出する工程とをさらに備えるとよい。
【００５５】
＜着床工程＞
着床工程では、採水チャンバー２が空の状態の当該懸濁物質含量測定装置１の吸込部材５を所望の測定地点の水底に着床させる。詳しくは、採水チャンバー２が直立するよう当該懸濁物質含量測定装置１を水中に沈めて、フランジ部５ｂの下面を水底に着床させることにより、吸込部材５の吸込口５ａを底質Ｘの表面に配置する。
【００５６】
この着床工程は、吊り下げ機構８によって行うことができるが、吊り下げ機構８を用いない他の手段によって行ってもよい。例として、採水チャンバー２を棒の先に取り付けて、この棒をオペレーターが手で操作することによって当該懸濁物質含量測定装置１の吸込部材５を水底に着床させてもよい。また、この着床工程は、オペレーターが採水チャンバー２を直接手に持って行うこともできる。
【００５７】
＜吸込工程＞
吸込工程は、自動弁４を開放することによって、空気流路３を介して採水チャンバー２の内部空間と水面上の外気と連通し、略大気圧に維持される採水チャンバー２の内圧と当該懸濁物質含量測定装置１の周囲の水圧との圧力差によって吸込部材５の吸込口５ａの直下の底質Ｘ、好ましくは採泥スリーブ５ｄ内の底質Ｘを周囲の水と共に、吸込部材５から自動弁４を介して採水スリーブ２内に流入させる。この時、底質Ｘ中の小石や貝殻等の粗大粒子は、スクリーン５ｃによって取り除かれる。
【００５８】
＜濁度検出工程＞
濁度検出工程では、吸込工程終了後に例えば１分経過した時点で濁度計６によって採水チャンバー２内の濁度を検出する。つまり、濁度計６による濁度検出は、吸込工程において採水チャンバー２内に舞い上がった砂等が沈殿し、かつ吸込工程において採水チャンバー２内に形成された気泡等が液面に浮かび上がるのを待ってから行われる。
【００５９】
＜懸濁物質含量算出工程＞
懸濁物質含量算出工程では、濁度計６によって検出した濁度に基づいて、懸濁物質含量簡易測定法に定められる計算式により懸濁物質含量を算出する。なお、懸濁物質含量簡易測定法において用いる透視度は、濁度の逆数に比例する値であるため、濁度から換算できる。
【００６０】
＜離間工程＞
離間工程では、当該懸濁物質含量測定装置１を水底から離間させる。離間工程では、当該懸濁物質含量測定装置１と水底との間隔を十分にとることが好ましい。
【００６１】
＜排出工程＞
排出工程では、採水チャンバー２内の懸濁物質を含む水を排水ポンプ９により排出する。この排水工程は、自動弁４を開放した状態で、当該懸濁物質含量測定装置１の下方の清浄な水を吸い込んで採水チャンバー２から排出することにより自動弁４及び吸込部材５の内面を洗浄する工程と、自動弁４を閉鎖した状態で、採水チャンバー２内の水を排出し、空気流路３から供給される空気で置換する工程とを有するとよい。
【００６２】
また、排水工程では、最初に自動弁４を閉鎖した状態で排水して採水チャンバー２内を空にしてから、自動弁４を開放して吸込部材５を介して清浄な水を採水チャンバー２内に吸い込むことで、自動弁４及び吸込部材５だけでなく採水チャンバー２の内面も洗浄し、再度自動弁を閉鎖して排水することで採水チャンバー２内を空にするようにしてもよい。
【００６３】
上記排出工程により、当該懸濁物質含量測定装置１は、上記再度着床工程から懸濁物質含量算出工程を含む当該懸濁物質含量測定方法に用いることができる状態となる。従って、この状態で、当該懸濁物質含量測定装置１を次の測定地点上に移動させることによって、複数の測定地点の底質Ｘの懸濁物質含量を続けて測定することができる。
【００６４】
当該懸濁物質含量測定方法により定点観測を行う場合、吊り下げ機構８によって当該懸濁物質含量測定装置１を着底させる位置を少しずつずらしながら行うことで、先の測定によって底質Ｘが喪失していない水底に当該懸濁物質含量測定装置１を着底させることが好ましい。具体例としては、アーム８ｄを有するクレーン機構からなる吊り下げ機構８を用い、測定の度にアーム８ｄを水平視で一定の角度ずつ旋回させる方法が挙げられる。この場合、図２に示すように、アーム８ｄを１００°ずつ旋回させれば、同じ測定地点に戻るまでに３６回の測定ができる。また、アーム８ｄを１５０°ずつ旋回させても、同じ測定地点に戻るまでに１２回の測定ができる。このように、同じ測定地点の底質を採取するまでの時間を長くすることにより、前回同じ測定地点で底質を採取た後に新しい底質が十分堆積し、同じ測定地点での前回の底質採取の影響を排除することができる。
【００６５】
＜利点＞
当該懸濁物質含量測定装置１を用いる当該懸濁物質含量測定方法は、上述のように、測定地点の水中で、比較的短時間のうちに底質Ｘの採取及び懸濁物質含量の測定を行うことができるので、多数の測定地点の懸濁物質含量測定を容易かつ迅速に行うことができる。また、当該懸濁物質含量測定装置１を用いる当該懸濁物質含量測定方法は、手で試料を取り扱う必要がないので測定が比較的容易であると共に、人為的な誤差が生じ難いので測定値が比較的正確である。
【００６６】
［第二実施形態］
〔懸濁物質含量測定装置〕
図３の懸濁物質含量測定装置１１は、図１の懸濁物質含量測定装置１と同様に、水底の底質Ｘの採取及び採取した底質Ｘ中の懸濁物質含量の測定をする装置である。
【００６７】
当該懸濁物質含量測定装置１１は、少なくとも一部が透明な筒状の採水チャンバー２と、上記採水チャンバー２の上端に接続される空気流路１３と、上記採水チャンバー２の下端に接続される自動弁４と、上記自動弁４を介して採水チャンバー２の下側に接続され、下端に吸込口５ａを有する吸込部材５と、上記採水チャンバー２の透明部分を通して採水チャンバー２内の水の濁度を検出する濁度計６と、上記採水チャンバー２の中に配設され、採水チャンバー２が満水になると上記空気流路１３を封止する浮子１７と、上記採水チャンバー２を昇降可能に支持する吊り下げ機構８とを備える。
【００６８】
図３の懸濁物質含量測定装置１１における採水チャンバー２、自動弁４、吸込部材５、濁度計６及び吊り下げ機構８は、図１の懸濁物質含量測定装置１における採水チャンバー２、自動弁４、吸込部材５、濁度計６及び吊り下げ機構８と同様である。このため、図３の懸濁物質含量測定装置１１について、図１の懸濁物質含量測定装置１と同じ構成要素には同一の符号を付して、重複する説明を省略する。
【００６９】
図３の懸濁物質含量測定装置１１は、図１の懸濁物質含量測定装置１と異なり、排水ポンプ９を有していない。
【００７０】
また、図３の懸濁物質含量測定装置１１の空気流路１３は、採水チャンバー２と反対側の端部が２つの分岐流路１３ａ，１３ｂに分岐し、一方の分岐流路１３ａに流量調整弁１０が配設され、他方の分岐流路１３ｂにエアコンプレッサー１８が接続されている。また、この空気流路１３の分岐点には、切換弁１９が配設されている。
【００７１】
図３の懸濁物質含量測定装置１１における流量調整弁１０は、図１の懸濁物質含量測定装置１における流量調整弁１０と同様であるため、重複する説明は省略する。
【００７２】
当該懸濁物質含量測定装置１１は、エアコンプレッサー１８によって、空気流路１３を介して圧縮空気を供給することにより、採水チャンバー２内の水を排出するよう構成されている。
【００７３】
＜浮子＞
浮子１７は、空気流路１３の採水チャンバー２への開口部又は採水チャンバー２の天井部に密接することにより、採水チャンバー２内の水が空気流路１３に流出しないように封止する弁体となる。また、この浮子１７の下端には、水流で動くプロペラ１７ａが突設されている。
【００７４】
この浮子１７は、プロペラ１７ａを備えることによって、採水チャンバー２に水を吸い込む際の水の撹拌効果を高め、懸濁物質含量の測定精度を向上させる。
【００７５】
〔懸濁物質含量測定方法〕
本発明の第二実施形態に係る懸濁物質含量測定方法は、水底の底質Ｘの採取及び採取した底質Ｘ中の懸濁物質含量の測定をする方法であって、図３の懸濁物質含量測定装置１１を用いて行うことができる。
【００７６】
当該懸濁物質含量測定方法は、自動弁４が閉鎖され、かつ採水チャンバー２に空気が充填された状態で吸込部材５を水底に着床させる工程と、上記着床工程後に、自動弁４の開放により吸込部材５を介して採水チャンバー２内に水と共に底質Ｘを吸い込む工程と、上記吸い込み工程から一定の時間後に、濁度計６により採水チャンバー２内の水の濁度を検出する工程と、検出した濁度から懸濁物質含量を算出する工程と、上記濁度検出工程後に吸込部材５を水底から離間させる工程と、この離間工程後にエアコンプレッサー１８により採水チャンバー２内の水を排出する工程とを備える。
【００７７】
図３の懸濁物質含量測定装置１１を用いる懸濁物質含量測定方法における着床工程、底質吸込工程、濁度検出工程、懸濁物質含量算出工程及び離間工程は、図１の懸濁物質含量測定装置１を用いる懸濁物質含量測定方法における着床工程、底質吸込工程、濁度検出工程、懸濁物質含量算出工程及び離間工程と同様である。このため、図３の懸濁物質含量測定装置１１を用いる懸濁物質含量測定方法について、図１の懸濁物質含量測定装置１を用いる懸濁物質含量測定方法と重複する説明は省略する。
【００７８】
＜排出工程＞
排出工程では、エアコンプレッサー１８から空気流路１３を介して圧縮空気を送り込むことによって、採水チャンバー２内の懸濁物質を含む水を自動弁４及び吸込部材５を通して排出する。
【００７９】
このように、採水チャンバー２内の水を吸込部材５を上から下に通水して排出することにより、スクリーン５ｃの逆洗を行うことになるため、当該懸濁物質含量測定装置１１は、懸濁物質含量測定の次のサイクルの底質吸込工程においても略等しい流速で水及び底質Ｘを吸い込むことができる。
【００８０】
また、当該懸濁物質含量測定装置１１は、採水チャンバー２、自動弁４及び吸込部材５の中の水が全て排出されると、吸込部材５から空気が排出されるので、この空気の泡を水面で観測することにより排水の完了を確認することができる。
【００８１】
排出工程において、採水チャンバー２中の水を全て排出した後、一度分岐流路１３ａから空気を排出することにより、吸込部材５及び自動弁４を介して採水チャンバー２内に清浄な水を吸い込んで採水チャンバー２を洗浄してから、再度採水チャンバー２中の水を排出するようにしてもよい。
【００８２】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００８３】
当該懸濁物質含量測定装置において、浮子は必須ではない。また、浮子に加えて、又は浮子に替えて、空気流路に遮断弁を設けることによって空気流路の閉鎖を確実にしてもよい。また、浮子には、プロペラに替えて、不動の撹拌板を取り付けてもよい。
【００８４】
当該懸濁物質含量測定装置は、採水チャンバーに水量を検知するためのセンサーを有してもよい。この水量を検知するためのセンサーとしては、例えば浮子に配設したマグネットを採水チャンバーの外側から検出するセンサー等を用いることができる。
【００８５】
当該懸濁物質含量測定装置は、吸込口を底質表面に配置することが担保できれば、吸込部材がフランジ部を有しないものであってもよい。具体例としては、センサーによって水底を検出し、吊り下げ機構を停止させることで、着底状態を保持してもよい。
【００８６】
当該懸濁物質含量測定装置において、吸込部材のスクリーン及び採泥スリーブは省略することができる。
【００８７】
吊り下げ機構は、例えばアームの上下方向の搖動等によって採水チャンバーを昇降可能に支持するものであってもよく、ワイヤーやロープを用いず、剛性を有する部材のみから構成される機構であってもよい。また、吊り下げ機構は、旋回可能なアームを有さず、回転可能なフレームの偏心した位置に採水チャンバーを吊り下げるものであってもよい。
【産業上の利用可能性】
【００８８】
本発明の懸濁物質含量測定装置及び懸濁物質含量測定方法は、水底の底質の懸濁物質含量の測定に、特に赤土汚染の把握のための底質中の懸濁物質含量測定に好適に利用することができる。
【符号の説明】
【００８９】
１，１１  懸濁物質含量測定装置
２  採水チャンバー
３，１３  空気流路
４  自動弁
５  吸込部材
５ａ  吸込口
５ｂ  フランジ部
５ｃ  スクリーン
５ｄ  採泥スリーブ
６  濁度計
７，１７  浮子
８  吊り下げ機構
８ａ  ワイヤー又はロープ
８ｂ  ウインチ
８ｃ  プーリー
８ｄ  アーム
９  排水ポンプ
１０  流量調整弁
１３ａ，１３ｂ  分岐流路
１７ａ  プロペラ
１８  エアコンプレッサー
１９  切換弁
Ｘ  底質
【図１】
2017015490.tif 000003
【図２】
2017015490.tif 000004
【図３】
2017015490.tif 000005